(57)【特許請求の範囲】
【請求項１】
壁面などに取付けられ、ファンモータおよび、このファンモータにより駆動されるファンを備えた本体と、
この本体に着脱自在に取付けられ、上記ファンによって導かれる室内空気を通す通気口を形成した化粧枠と、
この化粧枠の前面部に移動可能に設けられ、その移動により化粧枠の通気口を開閉する開閉体と、
この開閉体を後方に付勢して常時は該開閉体が上記通気口を閉鎖した状態に保持する弾性部材と、
上記開閉体を上記弾性部材の弾発力に抗して前方に押圧移動させ、上記化粧枠の通気口を開放する操作部材と、
開閉用モータ、一端が上記操作部材に連結されるワイヤ、上記開閉用モータの回転軸に設けられワイヤの他端を開閉用モータの駆動に応じて巻取る巻取りローラおよび歯車部を備えた巻取り機構と、
この巻取り機構における開閉用モータの回転軸とは、ずれた位置に回転軸を備え、この回転軸に開閉用モータの回転軸に取付けられる上記歯車部に噛合する歯車が設けられ、上記開閉体の閉鎖時および開放時の移動動作の抵抗をなすダンパー部材とを具備し、
上記巻取り機構の開閉用モータは上記本体に取付けられ、上記本体における巻取り機構の歯車部と対向する部位に孔部が設けられ、上記本体の孔部に、上記開閉用モータ取付け面とは反対側の面から上記ダンパー部材が取付けられ、上記ダンパー部材の歯車は孔部から突出して巻取り機構の歯車部に噛合する
ことを特徴とする換気機器。
【発明の詳細な説明】
【０００１】
【発明の属する技術分野】
本発明は、たとえばダクト用パイプの開口端に取付けられ、室内の換気をなす換気機器に関する。
【０００２】
【従来の技術】
たとえばダクト用パイプの開口端に取付けられ、室内の換気をなす換気機器がある。この換気機器は、パイプ開口端に挿入して嵌め込まれる本体と、この本体の前面部に着脱自在に取付けられる化粧枠とから構成されている。本体にはファンモータとこの回転軸にファンが取付けられ、化粧枠にはファンにより吸入される室内空気を通す通気口が形成されている。
【０００３】
このようなパイプ用換気機器では、通気口を介して本体内のファンやモータなどが見えるため、外観が悪いという問題がある。そこで、特開平８−１２８６９０号公報では、換気運転停止時に通気口を確実に閉鎖してファンやファンモータを見えなくするとともに外気の侵入を確実に防止し、換気運転中であってもファンやファンモータを見え難くするようにして、通気口を開閉する動作を低騒音にて行う換気扇が開示されている。
【０００４】
【発明が解決しようとする課題】
上述の特開平８−１２８６９０号公報は、化粧枠の通気口を開閉する開閉体と、この開閉体を弾性的に付勢して通気口を常に閉鎖する状態に保持する弾性部材と、この弾性部材の弾発力に抗して開閉体を強制的に移動し通気口を開放させる操作部材とから構成される。
【０００５】
しかしながら、このような構成においても、開閉用モータの電源遮断時、もしくは電源が入っていないときには確実に化粧枠の通気口を閉鎖して外気の侵入を防止しなければならない。
【０００６】
ところが、実使用状態では、ほとんど無風の場合もあれば、強風が吹きまくることもある。特に、風速が速いときにおいても開閉体を後方に付勢した状態を保持し、開閉体が押し出されたりすることのないよう、弾発力が強い弾性部材を使用しなければならないし、量産のバラツキを考えるとより強い弾発力の弾性部材を使用する。
【０００７】
その反面、無風状態において使用すると、弾性部材の弾発力の強さから電源遮断時に開閉体が勢いよく後方に移動する。ついには、開閉体が化粧枠に強く当たって大きな衝突音が発生し、騒音となる。
【０００８】
本発明は、上述の事情に鑑みなされたものであり、その目的とするところは、より強い弾発力の弾性部材を備えて操作部材に対する操作の確実化を図ったうえで、開閉体と化粧枠との衝突音の発生を抑制して騒音の低減を得る換気機器を提供しようとするものである。
【０００９】
【課題を解決するための手段】
本発明の換気機器は上記目的を満足するためになされたものであり、壁面などに取付けられファンモータおよびこのファンモータにより駆動されるファンを備えた本体と、この本体に着脱自在に取付けられファンによって導かれる室内空気を通す通気口を形成した化粧枠と、この化粧枠の前面部に移動可能に設けられその移動により化粧枠の通気口を開閉する開閉体と、この開閉体を後方に付勢して常時は開閉体が通気口を閉鎖した状態に保持する弾性部材と、開閉体を弾性部材の弾発力に抗して前方に押圧移動させ化粧枠の通気口を開放する操作部材と、
開閉用モータ、一端が操作部材に連結されるワイヤ、開閉用モータの回転軸に設けられワイヤの他端を開閉用モータの駆動に応じて巻取る巻取りローラおよび歯車部を備えた巻取り機構と、
この巻取り機構における開閉用モータの回転軸とはずれた位置に回転軸を備え、この回転軸に開閉用モータの回転軸に取付けられる歯車部に噛合する歯車が設けられ、上記開閉体の閉鎖時および開放時の移動動作の抵抗をなすダンパー部材とを具備し、
上記巻取り機構の開閉用モータは本体に取付けられ、本体における巻取り機構の歯車部と対向する部位に孔部が設けられ、本体の孔部に開閉用モータ取付け面とは反対側の面からダンパー部材が取付けられ、ダンパー部材の歯車は孔部から突出して巻取り機構の歯車部に噛合する。
【００１５】
このような課題を解決する手段を採用することにより、特に強風が吹き荒れるような状態でも開閉体に対して強い弾発力を作用する弾性部材を備え、電源遮断時における開閉体の開放を阻止して操作の確実化を得られ、かつ開閉体が化粧枠を閉鎖する際の衝突音を減衰させて騒音の発生を抑制する。
【００１６】
【発明の実施の形態】
以下、本発明の実施の形態を、図面を参照しながら説明する。
図１は、不使用時の換気機器全体の斜視図であり、図２（Ａ）（Ｂ）は、使用時と不使用時の状態の換気機器を縦断面にして示し、図３は換気機器の構成部品を分解して示す。
【００１７】
室壁１には室内と室外とを連通するダクト用のパイプ２が埋設されており、このパイプ２には本体３が着脱自在に取付けられている。この本体３にはファンモータ７がねじ８により固定され、このファンモータ７の回転軸７ａにファン９が着脱可能に嵌着されている。
【００１８】
さらに、本体３の前面側には化粧枠１０が着脱可能に装着されている。本体３の内側に化粧枠１０の通気口であるベルマウス１１が突出しており、ファン９の回転により室内空気がベルマウス１１を通じて本体３内に吸引され、あるいは外気を室内に取入れるようになっている。
【００１９】
上記化粧枠１０の突出部１０ｃ上部に開閉体としての飾り板１２が前後方向に移動可能に設けられている。この飾り板１２は、詳細を省略する支持構成により図１および図２（Ｂ）に示すように、後方に移動付勢され化粧枠１０の前面に当接してベルマウス１１を閉鎖する。また、図２（Ａ）に示すように飾り板１２が化粧枠１０の前面から離れた状態で、化粧枠１０との間の上下左右に通気隙間１７が形成されベルマウス１１が開放される。
【００２０】
図３に示すように、弾性部材である圧縮コイルばね１８がその弾発力で飾り板１２を常時に後方に付勢し、ベルマウス１１を閉鎖する状態に保持している。なお、飾り板１２が後方に移動したとき、飾り板１２が化粧枠１０の突出部１０ｃと面一となるよう構成して外観の向上を図っている。
【００２１】
この飾り板１２は、操作部材２２および巻取り機構２４によって前方に移動付勢されている。すなわち、開閉用モータ、ここでは巻取りモータ２３を駆動源とする巻取り機構２４が操作部材２２を回動動作させて飾り板１２の開放動作をさせるようになっている。
【００２２】
上記操作部材２２は、たとえばばね線材からなり、本体３に回動自在に支持される軸部２２ｃと、この軸部の回動により飾り板１２にその裏側から当接した状態で旋回する旋回アーム部２２ａが所定の形状に屈曲形成されている。
【００２３】
上記巻取り機構２４を構成する巻取りモータ２３の出力軸には巻取りローラ２９が取着されている。そして、巻取りローラ２９にはたとえば金属の撚線からなるワイヤ３０の一端部が取着され、ワイヤ３０の他端部は巻取りローラ２９の上方に位置する操作部材２２に取着されている。
【００２４】
図４および図５に示すように、巻取りモータ２３の巻取りローラ２９には、ワイヤ３０の巻取りに支障のない状態で係合部である歯車部５０が設けられる。そして、この歯車部５０に後述するダンパー部材６０の出力軸６０ａに設けられる係合部である歯車６１が噛合している。すなわち、ダンパー部材６０は巻取り機構２４の近傍に配置されることになる。
【００２５】
特に図６に示す、上記ダンパー部材６０は、たとえば内部にオイルが充填されていて、この出力軸６０ａの回転に対する抵抗を有している。したがって、出力軸６０ａに取付けられる歯車６１は、回転速度が低減するよう作用する。
【００２６】
つぎに、図３と図５から、巻取りモータ２３およびダンパー部材６０の、本体３に対する取付構造を説明する。
上記本体３の隅部には孔部３ａが設けられていて、この孔部３ａに対向して一側面である化粧枠１０の取付け側から巻取りモータ２３が取付けられる。そして、この巻取りモータ２３の出力軸に取付けられる巻取りローラ２９と歯車部５０は上記孔部３ａの近傍に位置する。
【００２７】
一方、本体３の内側面である巻取りモータ２３の取付け面とは反対側の面にダンパー部材６０を対向させ、かつ本体孔部３ａに係合して取付けられる。ダンパー部材６０の出力軸６０ａは孔部３ａから巻取りモータ２３側に突出し、ここに巻取りローラ２９の歯車部５０と噛合する歯車６１が取付けられる。
【００２８】
このようにして構成される換気機器であり、運転停止状態では図２（Ｂ）に示すように飾り板１２がベルマウス１１を閉鎖し、このとき操作部材２２の旋回アーム部２２ａは下向きの状態にある。
【００２９】
この状態から運転を行うべく図示しないスイッチをオン操作すると、ファンモータ７および巻取り機構２４の巻取りモータ２３に通電される。これにより巻取りローラ２９が一方向に回転されてワイヤ３０を巻取り、操作部材２２を矢印Ａ方向に回動させる。
【００３０】
この操作部材２２の矢印Ａ方向の回動により、旋回アーム部２２ａが飾り板１２の後面に当接して下向きの状態から上方に向かって旋回するため、飾り板１２が旋回アーム部２２ａに押圧され、圧縮コイルばね１８の付勢力に抗して前方に平行移動し、ベルマウス１１を開放して化粧枠１０との間に通気隙間１７を形成する。
【００３１】
巻取りモータ２３への通電とともに、ファンモータ７に通電してファン９を回転駆動しているので、室内空気を通気隙間１７およびベルマウス１１を介して吸引し、パイプ２を通じて室外に排出する換気が行われる。あるいは、外気を室内に取入れる給気運転が行われる。
【００３２】
運転を停止すべく図示しない電源スイッチをオフ操作すると、巻取りモータ２３が断電され、飾り板１２が圧縮コイルばね１８の弾発力により後方へ移動してベルマウス１１を閉鎖する。このとき、操作部材２２は飾り板１２の後方移動にともなって巻取りローラ２９を他方向に回転させ、ワイヤ３０を巻き戻しながら矢印Ａとは反対方向に回動する。
【００３３】
このような運転の開始時と、運転中および停止時のいずれの状態においても、巻取り機構２４の近傍にダンパー部材６０があって、常時、ダンパー部材６０と巻取りローラ２９は歯車６１と歯車部５０を介して係合し、したがってダンパー部材６０は巻取りローラ２９と巻取りモータ２３に対する抵抗となっている。
【００３４】
一方、巻取りモータ２３の電源遮断時、もしくは電源が入っていないときには、外風の強弱に係らず確実に飾り板１２が化粧枠１０のベルマウス１１を閉鎖しなければならないので、飾り板１２を後方に付勢する状態を保持し、かつ飾り板１２が押し出されたりすることのないように、弾発力がより強い圧縮コイルばね１８を使用している。
【００３５】
その反面、無風状態において電源遮断すると、圧縮コイルばね１８の弾発力の強さから飾り板１２が勢いよく後方に移動して、そのままでは飾り板１２が化粧枠に強く当たって衝突音が発生する。
【００３６】
しかしながら、上記ダンパー部材６０を巻取りローラ２９に係合連結したので、圧縮コイルばね１８の強い弾発力が飾り板１２に加わっても、操作部材２２と巻取り機構２４に伝達したところでダンパー部材６０によって吸収される。
【００３７】
すなわち、ダンパー部材６０の存在から圧縮コイルばね１８の弾発力が減衰され、飾り板１２はゆっくりと移動し化粧枠１０に接触してベルマウス１１を閉鎖するところとなり、互いに衝突を緩衝して衝突音等の騒音の発生はない。
【００３８】
なお、ダンパー部材６０は液体や気体が封入されていて、たとえば回転型のダンパー部材では回転数が多い（回転速度が大）ほどトルクが大きくなり、回転数が少ない（回転速度が小）ほどトルクが小さくなる特性を示す。このことにより、無風状態でも強風状態でも上記の効果が得られ、飾り板１２の閉鎖時の移動の動作が安定する。
【００３９】
さらに、ダンパー部材６０は飾り板１２による化粧枠１０のベルマウス１１の閉鎖時の動作ばかりでなく、化粧枠１０を開放するときの飾り板１２の動作である、飾り板１２の前方への移動時の抵抗となっている。
【００４０】
これにより、電源が入っておらず、飾り板１２が後方に付勢して化粧枠１０のベルマウス１１を閉鎖しているときに極めて強い外風が吹き荒れている状態であっても外風の侵入を確実に防止する。
【００４１】
なお、ダンパー部材６０は歯車６１を有し、巻取り機構２４の巻取りローラ２９に歯車部５０を介して係合しているので、コンパクトなスペースで納めることができる。さらに、一点の追加部品、すなわちダンパー部材６０を備えることですみ、巻取りローラ２９との係合も一ヶ所のみなので、組立て性がよく信頼性も高い。
【００４２】
組立て性に関して、省スペースにて製品を作成するためには、小型のダンパー部材６０を使用しなければならない。ただし、予めそのダンパー部材６０を本体３に取付けてから巻取りモータ２３を固定するのでは、巻取りモータ２３自身が大きいために歯車部５０との嵌め合わせが手探りの作業となり組立て性が悪く、信頼性が低くなってしまう。
【００４３】
本発明においては、予め大きい方の巻取りモータ２３を本体３に取付けておいて、本体３に設けた孔部３ａから巻取りローラ２９側の歯車部５０を確認したうえで小型のダンパー部材６０を取付けるようにしており、組立て作業性と信頼性がよい。
【００４４】
【発明の効果】
以上説明したように本発明によれば、強い弾発力の弾性部材を備えて操作部材の操作の確実化を図り、開閉体と化粧枠との衝突音の発生を抑制して、騒音の低減と運転の信頼性を得られる効果を奏する。
【図面の簡単な説明】
【図１】本発明の実施の形態を示す、換気機器全体の斜視図。
【図２】同実施の形態を示す、通気口を開放した状態と、通気口を閉鎖した状態の縦断面図。
【図３】同実施の形態を示す、換気機器の分解した斜視図。
【図４】同実施の形態を示す、巻取り機構とダンパー部材の分解した斜視図。
【図５】同実施の形態を示す、巻取りモータとダンパー部材の縦断面図。
【図６】同実施の形態を示す、ダンパー部材の斜視図。
【符号の説明】
３…本体、
１０…化粧枠、
１１…ベルマウス（通気口）、
１２…飾り板（開閉体）、
１８…圧縮コイルばね（弾性部材）、
２２…操作部材、
２３…巻取りモータ（開閉用モータ）、
２４…巻取り機構、
６０…ダンパー部材、
２２ｃ…軸部、
２２ａ…旋回アーム部、
３０…ワイヤ、
２９…巻取りローラ、
３ａ…孔部、
５０…歯車部、
６１…歯車。
【図１】
0004189114.tif 000002
【図２】
0004189114.tif 000003
【図３】
0004189114.tif 000004
【図４】
0004189114.tif 000005
【図５】
0004189114.tif 000006
【図６】
0004189114.tif 000007